(57)【特許請求の範囲】
【請求項１】
周波数発振器ＶＣＯの出力信号を１／３分周器で分周した信号と入力水平同期信号とが入力されるＰＬＬループと、前記ＰＬＬループから得られる信号である４：３表示モードでの両側黒表示部と中央表示部の切り換え信号により、前記ＶＣＯの出力信号を１／２分周するか１／４分周するかを切り換える切り換え手段と、前記１／３分周器の出力信号または前記切り換え手段の出力信号を選択してワイド表示または４：３表示とするモード選択スイッチと、前記モード選択スイッチからの出力を入力して１／Ｎ分周し、そのＮ相出力信号をワイド表示モードまたは４：３表示モードでのパネルのＮ相水平シフトクロックとする１／Ｎ分周器とを備えたことを特徴とする液晶パネルの表示変換装置。
【発明の詳細な説明】
【０００１】
【産業上の利用分野】
本発明は液晶ワイドパネルの表示変換装置に関するものである。
【０００２】
【従来の技術】
まず液晶パネルに対する水平シフトクロックであるが、通常Ｎ相のシフトクロックが必要であり、１／Ｎ分周器が必要である。またワイドパネルへのワイド表示（１６：９ソース）時の水平シフトクロックに対して、４：３表示（４：３ソース）時の水平シフトクロックは周波数を０．７５倍にすれば良い（９／１６÷３／４＝０．７５）。４：３表示の時、両サイドを通常黒表示にすることが多いが、この黒表示部は水平シフトクロックをワイド表示時に対して周波数を１．５倍にすることで１水平期間の時間を合わせている。つまり、４：３表示時の両サイド黒表示部の水平シフトクロックは、中央表示部に対して周波数を２倍にしている。以上の動作を図３の従来の液晶パネル表示変換装置の回路構成図、および図４の各部の動作波形図を用いて説明する。
【０００３】
図４において、ワイド表示時は、液晶パネルの水平シフトクロック周波数ｆ3 のＮ倍の周波数ｆ2 で入力信号のＨ−ＳＹＮＣとＰＬＬループを形成している。一方４：３表示時は、液晶パネルの黒表示部の水平シフトクロック周波数ｆ5 のＮ倍の周波数ｆ4 で入力信号のＨ−ＳＹＮＣとＰＬＬループを形成し、表示部の水平シフトクロック周波数であるｆ6 を、前記黒表示部の水平シフトクロック周波数ｆ5 を１／２分周して得、表示部と黒表示部の切り換え信号ｆ7 で切り換えることで最終の水平シフトクロック周波数ｆ8 を得ている。また、ワイド表示時の水平シフトクロック周波数ｆ3 と４：３表示時の水平シフトクロック周波数ｆ8 の選択はモード選択信号で行う。
【０００４】
図３において、共通の周波数発振器ＶＣＯ１の出力ｆ1 を１／３分周器２で分周してｆ2 を得、水平同期信号入力端子１４からのＨ−ＳＹＮＣと１／３分周器２の出力ｆ2 とでＰＬＬループ３を形成し、ＰＬＬループ３から出力される１／３分周器２出力ｆ2 を１／Ｎ分周器７で分周し、モード選択スイッチＳＷ１３を介してワイド表示時のＮ相（Ｎ＝３〜６）水平シフトクロックｆ3 を出力する。一方４：３表示時はＶＣＯ１の出力ｆ1 を１／２分周器８で分周してｆ4 を得、水平同期信号入力端子１４からのＨ−ＳＹＮＣと１／２分周器８の出力ｆ4 とでＰＬＬループ９を形成し、ＰＬＬループ９から出力される１／２分周器８出力のｆ4 を１／Ｎ分周器１０で分周して両サイド黒表示部の水平シフトクロックｆ5 を得、さらに１／Ｎ分周器１０の出力ｆ5 を１／２分周器１１で分周して中央表示部の水平シフトクロックｆ6 を得、両サイド黒表示部と中央表示部の切り換え信号であるＰＬＬループ９からの出力ｆ7 により前記ｆ5 ，ｆ6 をスイッチＳＷ１２で切り換えて出力ｆ8 を得、モード選択スイッチのＳＷ１３を介して４：３表示時のＮ相水平シフトクロックｆ8 を出力する。
【０００５】
以上の動作により、ワイド表示時の水平シフトクロックｆ3 の周波数を１とすると、４：３表示時の中央表示部の水平シフトクロックｆ6 は０．７５倍、両サイド黒表示部の水平シフトクロックｆ5 は１．５倍となるので、ワイドパネルにおいて両サイドブラックの４：３表示ができる。
【０００６】
【発明が解決しようとする課題】
従来の水平シフトクロック発生装置では、液晶ワイドパネルのワイド表示時と４：３表示時とでそれぞれのＰＬＬ周波数ｆ2 ，ｆ4 のそれぞれ３倍，２倍の周波数ｆ1 が共通になるので、ＶＣＯを１個に統一できるが、ＰＬＬループが２系統必要である。
【０００７】
一般に液晶パネルを駆動するためには水平シフトクロック以外に多数のタイミングパルスが必要であるが、これらは全てＰＬＬループ内のプログラマブルカウンタからデコードして作成される。したがってＰＬＬループが２系統存在するということは、各パルスについて全て２種類のデコード回路が必要となり、素子数の増大をまねいていた。また、水平シフトクロックはＮ相（Ｎ＝３〜６）使用するので、４：３表示時に周波数ｆ5 ，ｆ6 を切り換えるタイミングを十分考慮しないと、位相関係の連続性が保存されないという性能上の欠点も有していた。
【０００８】
本発明は上記問題を解決するもので、ＰＬＬループを１つにし、パネルへの出力パルスデコード回路を１種類にし、４：３表示時における水平シフトクロックの周波数変換についても、Ｎ相の位相関係を自動的に保存される液晶パネルの表示変換装置を提供することを目的とするものである。
【０００９】
【課題を解決するための手段】
上記課題を解決するために、本発明の液晶パネルの表示変換装置は、ＰＬＬループを１つにし、かつ、水平シフトクロックとして１／Ｎ分周される前に、ワイド表示か４：３表示かのモード選択を行い、４：３表示時は、１／Ｎ分周器の入力信号として、中央表示部と両サイド黒表示部の切り換え信号で周波数切り換えされた信号を用いるものである。
【００１０】
【作用】
上記構成において、図２に示すように、ワイド表示時は、共通のＶＣＯ周波数ｆ1 を１／３分周したｆ2 を１／Ｎ分周してＮ相水平シフトクロックｆ3 とする。一方４：３表示時は、共通のＶＣＯ周波数ｆ1 を４：３表示モードでの両サイド黒表示部と中央表示部の切り換え信号ｆ7 により１／２分周とするか１／４分周とするかの切り換えを行って出力ｆ9 を得、これを１／Ｎ分周してＮ相水平シフトクロックとする。
【００１１】
【実施例】
以下本発明の一実施例を図面に基づいて説明する。
図１は本発明の一実施例の液晶パネル表示変換装置の回路構成図、図２は各部の動作波形図である。図１において、ワイド表示時は、共通のＶＣＯ１の出力ｆ１（図２）を１／３分周器２で分周してｆ２（図２）を得、この１／３分周器２の出力ｆ２と水平同期信号入力端子１４からの外部入力信号Ｈ−ＳＹＮＣとでＰＬＬループ３を形成し、１／３分周器２出力ｆ２をモード選択スイッチのＳＷ５を介して１／Ｎ分周器６で分周し、ワイド表示時のＮ相水平シフトクロック周波数ｆ３（図２）を水平シフトクロック出力端子１５から出力する。
【００１２】
一方、４：３表示時は、ＶＣＯ１の出力ｆ1 を、ＰＬＬループ３から得られる４：３表示時での両サイド黒表示部と中央表示部の切り換え信号ｆ7 （図２）により切り換え検出器４で１／２分周あるいは１／４分周の切り換えを行い、得られた出力ｆ9 （図２）をモード選択スイッチのＳＷ５を介して１／Ｎ分周器６で分周し、４：３表示時のＮ相水平シフトクロック周波数ｆ10（図２）を水平シフトクロック出力端子１５から出力する。
【００１３】
以上の動作により、ワイド表示時の水平シフトクロック周波数に対し、４：３表示時の中央表示部の水平シフトクロックは０．７５倍となり、パネルの有効画素を間引くことができる。さらに両サイドの黒表示部の水平シフトクロック周波数を中央表示部の２倍とすることにより、間引いた時間の回復を行わせている。
【００１４】
【発明の効果】
以上のように本発明によれば、ＰＬＬループが１つであるからパネルへの各出力パルスデコードは１種類ですみ、しかも４：３表示時における水平シフトクロックの周波数変換に関しても、１／Ｎ分周される前に入力クロック信号の周波数を切り換えているので、Ｎ相の位相関係は自動的に保存される。
【図面の簡単な説明】
【図１】本発明の一実施例の液晶パネル表示変換装置の回路構成図である。
【図２】図１における各部の動作波形図である。
【図３】従来の液晶パネル表示変換装置の回路構成図である。
【図４】図３における各部の動作波形図である。
【符号の説明】
１  周波数発振器ＶＣＯ
２  １／３分周器
３  ＰＬＬループ
４  １／２分周と１／４分周の切り換え器
５  モード選択スイッチＳＷ
６  １／Ｎ分周器
１４  水平同期信号入力端子
１５  水平シフトクロック出力端子
【図１】
0003638335.tif 000002
【図２】
0003638335.tif 000003
【図３】
0003638335.tif 000004
【図４】
0003638335.tif 000005